(57)【要約】【課題】適度な弾力性と張力を発揮し得る素材をフレームに固定する際に弛みや皺が生じさせずに固定可能とする。また、素材自体の張力により素材とフレームとの係合力を増す構造とする。【解決手段】適度な弾力性と張力を発揮し得る素材３をフレームに固定する取付構造において、素材３の端部に係止プレート４を備えると共にフレーム側に係止プレート４を係合させる溝４４あるいは梁を設け、かつ溝４４あるいは梁は、素材３が引っ張られた状態でその端部がフレームを覆うように回り込んで係止プレート４を素材３の張力により係合力を増す方向に係合させるものであって、溝４４あるいは梁に係止プレート４を係合させて素材３の端部を該素材に張力をかけた状態でフレームに固定するようにしている。【選択図】図１１
2010104830.tif 000002
【特許請求の範囲】
【請求項１】
適度な弾力性と張力を発揮し得る素材をフレームに固定する取付構造において、前記素材の端部に係止プレートを備えると共に前記フレーム側に前記係止プレートを係合させる溝あるいは梁を設け、かつ前記溝あるいは梁は、前記素材が引っ張られた状態でその端部が前記フレームを覆うように回り込んで前記係止プレートを前記素材の張力により係合力を増す方向に係合させるものであって、前記溝あるいは梁に前記係止プレートを係合させて前記素材の端部を該素材に張力をかけた状態で前記フレームに固定するものであるフレームへの取付構造。
【請求項２】
前記係止プレートは樹脂製である請求項１記載のフレームへの取付構造。
【請求項３】
前記係止プレートは、フック形状をなすものであり、前記フレームの梁に対し引っかけられてテンションが掛けられて固定されるものである請求項１または２記載のフレームへの取付構造。
【請求項４】
前記フック状の係止プレートは、前記素材が縫製される片が前記梁に引っかけられる片よりも長いものである請求項３記載のフレームへの取付構造。
【請求項５】
適度な弾力性と張力を発揮し得る素材をフレームに固定する取付方法において、前記素材の端部に係止プレートを備えると共に前記フレーム側に前記係止プレートを係合させる溝あるいは梁を設け、前記素材の端部を引っ張ってその端部が前記フレームを包み込むように回り込ませてから前記係止プレートを前記フレームの溝あるいは梁に係合させ、前記係止プレートを前記素材の張力により係合力を増す方向に係合させることにより、前記素材の端部を該素材に張力をかけた状態で前記フレームに固定するものであるフレームへの取付方法。
【発明の詳細な説明】
【技術分野】
【０００１】
本発明は、適度な弾力性と張力を発揮し得る素材をフレームに固定する取付構造に関する。さらに詳述すると、本発明は、例えば椅子の背凭れにおいて適度な弾力性と張力を発揮し得る素材を背フレームに取り付けるための構造に関する。
【背景技術】
【０００２】
従来の背凭れの取付構造は、図１５に示すように、クッション性を有する背凭れ部１０１と、背凭れ部１０１の骨材となるインナーシェル１０２と、このインナーシェル１０２にねじ１０３で取り付けられて背凭れ部１０１を座に連結する背支桿１０４と、インナーシェル１０２と背支桿１０４との連結部分を覆い隠すように背凭れ部１０１の背面側に取り付けられるアウターシェル１０５を有して構成される（特開平０７−０９５９１２号公報図４参考）。また、予張力を与えた状態でフレームに固定された弾性膜により身体を支える面を構成するようにした椅子も提案されている（特許文献２）。この椅子のフレーム構造は、金型内成形（インモールド）において予張力を与えた状態の弾性膜の周縁部に熱可塑性プラスチックを射出して環状の支持部材をモールド成形することにより膜周縁部をしなやかであるが半剛性のプラスチック製支持部材で固定された弾性膜部材を得、該弾性膜部材をガラス繊維強化熱可塑性プラスチックからなるフレームの頂面に形成された連続的な環状チャネルに膜周縁の支持部材を嵌め込んで固定することによって、フレームの開口を横切るように弾性膜を支持してシートや背もたれを構成するものである。フレームと弾性膜の支持部材とは、支持部材の底面に設けられた相互ロックストリップによってフレームのチャネルに固定されている。
【先行技術文献】
【特許文献】
【０００３】
【特許文献１】特開平０７−０９５９１２号
【特許文献２】特表平０８−５０７９３５号
【発明の概要】
【発明が解決しようとする課題】
【０００４】
しかしながら、従来の背凭れの取付構造では、アウターシェル１０５を用いているため、部品点数が多くなり、組立工数も増大するという問題を有している。また、背凭れの取付にねじ１０３を多用していることから、背凭れの取り付けや取り外し作業が面倒であるという問題を有している。
【０００５】
そこで本発明は、適度な弾力性と張力を発揮し得る素材をフレームに固定する際に弛みや皺が生じてしまうことを回避できる取付構造を提供することを目的とする。また、本発明は、適度な弾力性と張力を発揮し得る素材をフレームに固定する際に、フレームと係合させることにより、素材自体の張力により係合力を増す取付構造を提供することを目的とする。
【課題を解決するための手段】
【０００６】
かかる目的を達成するため、請求項１記載の発明は、適度な弾力性と張力を発揮し得る素材をフレームに固定する取付構造において、前記素材の端部に係止プレートを備えると共に前記フレーム側に前記係止プレートを係合させる溝あるいは梁を設け、かつ前記溝あるいは梁は、前記素材が引っ張られた状態でその端部が前記フレームを覆うように回り込んで前記係止プレートを前記素材の張力により係合力を増す方向に係合させるものであって、前記溝あるいは梁に前記係止プレートを係合させて前記素材の端部を該素材に張力をかけた状態で前記フレームに固定するものである。
【０００７】
また、本発明は、適度な弾力性と張力を発揮し得る素材をフレームに固定する取付方法において、前記素材の端部に係止プレートを備えると共に前記フレーム側に前記係止プレートを係合させる溝あるいは梁を設け、前記素材の端部を引っ張ってその端部が前記フレームを包み込むように回り込ませてから前記係止プレートを前記フレームの溝あるいは梁に係合させ、前記係止プレートを前記素材の張力により係合力を増す方向に係合させることにより、前記素材の端部を該素材に張力をかけた状態で前記フレームに固定するものである。
【０００８】
したがって、素材の端部の係止プレートがフレーム側の溝あるいは梁に係合されるときには、素材に張力（テンション）が与えられ、尚且つ素材の張力により係止プレートとフレーム側の溝あるいは梁との間の係合力を増す方向に係合させられるので、係止プレートがフレーム側の溝あるいは梁から外れることが防がれる。しかも、素材が引っ張られた状態のままフレームに係止プレートが係合されるので、素材は適度なテンションを与えられながらフレームに固定される。
【０００９】
ここで、係止プレートは樹脂製であることが好ましい。さらには、係止プレートは、フック形状をなすものであり、フレームの梁に対し引っかけられてテンションが掛けられて固定されるものであることが好ましい。
【００１０】
また、フック状の係止プレートは、素材が縫製される片が梁に引っかけられる片よりも長いものであることが好ましい。
【発明の効果】
【００１１】
以上の説明から明らかなように、本発明によれば、係止プレートを引っ張りながら適度な弾力性と張力を発揮し得る素材をフレームに取り付けることで、身体を支持する面を構成する素材が適度なテンションを与えられながらフレームに固定されるので、素材に弛みや皺が生じてしまうことを回避できる。更に、素材の端部をフレームに一旦回し込んでからフレームの溝あるいは梁に係止プレートを係合させているので、素材自体の張力により係止プレートとフレーム側の溝あるいは梁との間の係合力を増すことができるので、素材の適度なテンションを維持して尚且つフレームの溝あるいは横梁からの係止プレートの抜け外れが防がれる。
【図面の簡単な説明】
【００１２】
【図１】本発明の背凭れの取付構造を適用した背もたれの一実施形態を示す概略斜視図である。
【図２】上記背凭れの取付構造の係止部の係合の一態様を示す概略中央断面側面図である。
【図３】上記背凭れの取付構造を適用した椅子が備えるランバーサポート機構の構成の一例を示す概略分解斜視図である。
【図４】上記ランバーサポート機構の動作の一例を示す概略断面側面図である。
【図５】上記ランバーサポート機構の動作の他の例を示す概略断面側面図である。
【図６】上記背凭れの取付構造を適用した椅子の座受近傍を示す概略中央断面側面図である。
【図７】上記背凭れの取付構造を適用した椅子の概略側面図である。
【図８】背フレームの構造の他の例を示す概略斜視図である。
【図９】背凭れ部と背フレームとの接続構造を示す概略中央縦断面側面図であり、（Ａ）は凹部と凸部、（Ｂ）は山部と谷部をそれぞれ係合している。
【図１０】係止部による係合の他の態様を示す概略中央断面側面図である。
【図１１】係止部による係合の更に他の態様を示す概略中央断面側面図である。
【図１２】係止部による係合の更に他の態様を示す概略中央断面側面図である。
【図１３】更に他の係合態様を示す概略中央断面側面図である。
【図１４】更に他の係合態様を示す概略中央断面側面図である。
【図１５】従来の背凭れの取付構造を示す斜視図である。
【発明を実施するための形態】
【００１３】
以下、本発明の構成を図面に示す実施形態に基づいて詳細に説明する。
【００１４】
図１から図１２に本発明の背凭れの取付構造の実施の一形態を示す。この背凭れの取付構造は、着座者の背を支持する背凭れ部１と、その背凭れ部１を座１５に連結する背フレーム２とを少なくとも有する椅子１１において、背凭れ部１は背フレーム２の上方部分を被覆するポケット３を有し、そのポケット３は背フレーム２の上方部分と係合して当該上方部分がポケット３から抜け出ることを妨げる係止部４を有し、背フレーム２の上方部分をポケット３で被覆すると共に係止部４を当該被覆した上方部分に係合させて背凭れ部１を背フレーム２に取り付けるようにしている。
【００１５】
本実施形態の背凭れ部１は、例えば、インナーシェル５と、そのインナーシェル５を内包する袋状の表皮部材８とを有して構成される。このような構成の場合、クッション性が高く且つ厚みの薄いコンパクトな背凭れ部１を得ることができる。但し、本実施形態は好適な例示であって、背凭れ部１の構成が本実施形態の例に限定されるものではない。
【００１６】
インナーシェル５は、例えば枠状に形成される。より具体的には、本実施形態のインナーシェル５は、正面が矩形状で側面は着座者の腰の辺りに向かってやや出っ張るように湾曲した形状に形成されている。インナーシェル５を枠状とすることで、着座者の背中は表皮部材８のみにより支持されて高いクッション性を得ることができ、座り心地を良好にすることができる。但し、インナーシェル５の形状は、背凭れとして求められる面を形成し得るものであれば特に限定されるものではなく、種々の形状を採用できる。例えば矩形状が一般的であるが、美的処理や人間工学等の観点から湾曲その他の形状としても良く、また必ずしも閉じた枠を形成しなくても良い。このインナーシェル５は、背凭れ部１としての形状を保持し得る剛性と、背フレーム２への取付等が容易であるように、ある程度の変形を許容する柔軟性を兼ね備えるものが好ましい。インナーシェル５の材質や厚み等は、当該剛性と柔軟性を兼ね備えるように選択できる。インナーシェル５の材質としては、例えば適度な剛性と弾性を有する合成樹脂等の利用が好ましい。ただし、インナーシェル５の材質が合成樹脂に限定されるものでは無く、所望の剛性と柔軟性を兼ね備える材質であれば良い。
【００１７】
表皮部材８は、例えば、適度な弾力性と張力を発揮し得る素材を用いて、背凭れの下端側に開口を有する袋状に形成されている。この表皮部材８は、インナーシェル５より多少小さめに形成されており、インナーシェル５を内包することで、背凭れの弾性支持要素として機能し、背凭れの面を構成する上張地として機能するようにしている。表皮部材８の材質としては、必要に応じて適宜選択される適度な弾力性と張力を発揮し得る素材、フィルム（例えばポリエステルエラストマーやポリウレタンエラストマー等の樹脂フィルムや、更に樹脂フィルムをポリアミド等の繊維やタフタ等の織物で補強したもの等）、布地、不織布等が適宜適用可能である。特に、へたりが少なく、弾力性や通気性等が良好であるポリエステル製メッシュシートの利用が好ましい。尚、インナーシェル５を収容した後の表皮部材８の開口部は、インナーシェル５が抜け出ることがないように、タッカー（鋲）や縫製等により閉じておくことが好ましい。
【００１８】
ポケット３は、例えば、適度な弾力性と張力を発揮し得る素材（本実施形態では表皮部材８と同一の素材）を用いて、縫製により表皮部材８の上に設けられている。ポケット３の大きさは、必ずしも限定されるものではないが、図１に示す例のように、背凭れ部１の背面（即ち背フレーム２が取り付けられる面）の上半分を占める程度の大きさとすることが、背フレーム２への取付の安定性等の観点から好ましい。ポケット３の開口は、背凭れ部１の背面側の略中間部分において水平となるように形成されている。尚、本実施形態のポケット３は、インナーシェル５が包まれる袋状の表皮部材８の上に、別の袋を設けるようにして形成されているが、必ずしもこの形態には限られない。例えば、インナーシェル５が包まれる表皮部材８の背面側の略中間部分において水平となるように切れ込みを入れて、ポケット３を構成するようにしても良い。
【００１９】
ポケット３に被覆される背フレーム２の上方部分は、インナーシェル５と対向する部分と、係止部４と係合する部分とを有するように形成される。インナーシェル５と対向する部分が背凭れ部１を安定支持する機能を有し、係止部４と係合する部分が背フレーム２の上方部分がポケット３から抜け出ることを防止する機能を有する。より具体的には、例えば本実施形態における背フレーム２は、ポケット３に被覆される枠体９と、この枠体９を支持する下部フレーム１４とを有して構成される。枠体９は、インナーシェル５の略上半分と対向するコ字型部分９ａと、ポケット３の開口付近に位置する横梁９ｂとを有して構成される。背フレーム２は、柔軟性の高い背凭れ部１を安定支持できるように、高い剛性を有するものが好ましい。このため本実施形態の枠体９は、インナーシェル５よりも硬質の合成樹脂（例えばナイロン系の合成樹脂）を用いて、コ字型部分９ａと横梁９ｂとが一体に形成されている。また、下部フレーム１４は、金属材料（例えば軽量且つ剛性に優れるアルミニウム合金や亜鉛ダイキャスト等）を用いて形成されている。枠体９と下部フレーム１４との連結部分９ｃ，１４ａは互いに嵌合する形状に形成され、これらの連結部分９ｃ，１４ａを嵌め合わせ且つねじ止めすることによって、枠体９と下部フレーム１４とは一体に固定されている。但し、背フレーム２の構造が本実施形態の例に限定されるものではない。例えば、図８に示すように、枠体９を下部フレーム１４に対してピン６３回りに回転可能に取り付けるようにしても良い。また場合によっては、枠体９と下部フレーム１４とを樹脂または金属材料等で一体成形しても良い。
【００２０】
ポケット３には、係止部としての係止プレート４が設けられている。この係止プレート４は、例えば、樹脂製であり、背フレーム２の横梁９ｂと係合するように、ポケット３の開口縁部３ａの内側に縫製によって取り付けられている。一方、本実施形態の横梁９ｂは、その正面側（着座者側）において、係止プレート４がポケット３に張力（テンション）を与えつつ嵌め込まれ、尚且つ嵌め込まれた係止プレート４がポケット３の張力により引っ張られて当該嵌め込まれた状態から抜け出ることを妨げるように形成されている。より具体的には、本実施形態の横梁９ｂは、図２に示すように、係止プレート４が嵌め込まれるスペース２０と、嵌め込まれた係止プレート４がポケット３の張力により嵌め込まれた状態から抜け出ることを妨げる溝２１とを有するように形成されている。即ち、適度な弾力性と張力を発揮し得る素材の端部に係止プレートを備えると共に前記フレーム側に前記係止プレートを係合させる溝あるいは梁を設け、かつ前記溝あるいは梁は、前記素材が引っ張られた状態でその端部が前記フレームを覆うように回り込んで前記係止プレートを前記素材の張力により係合力を増す方向に係合させるものであって、前記溝あるいは梁に前記係止プレートを係合させて前記素材の端部を該素材に張力をかけた状態で前記フレームに固定するものである。
【００２１】
更に、係止部４を背フレーム２の上方部分と係合させることによりポケット３または表皮部材８に張力を発生させ、尚且つ当該張力により係合力を増す構造とすることがより好ましい。例えば図１０に示すように、横梁９ｂの正面側（着座者側）に、嵌め込まれた係止プレート４が抜け出ることを防止する係止爪４３を設けるようにしても良い。また、例えば図１１に示すように、背凭れ部１の上方に向かって開口し、係止プレート４の半分以上が挿入される深溝４４を、横梁９ｂに形成するようにしても良い。また、例えば図１２に示すように、係止部４を鉤（フック）状に形成し、板状の横梁９ｂに引っ掛けるようにしても良い。
【００２２】
ここで、素材３の端部のフレーム９への固定は、場合によっては、図１３に示すように、表面が鉤状のものと輪状のものを一対とした合成樹脂製の開閉テープ４５（いわゆるマジックテープ（登録商標））を係止部として用いても良い。この場合、例えば、ポケット３の開口縁部３ａと、当該開口縁部３ａを横梁９ｂに対して巻き込んだ場合に対向する位置とに開閉テープ４５を設けて、開口縁部３ａを横梁９ｂに対して巻き込んで、対となる開閉テープ４５で止め付けるようにする。また、例えば図１４に示すように、押圧することで嵌合する嵌め込み式ボタン４６を係止部として用いても良い。この場合、例えば、ポケット３の開口縁部３ａと、当該開口縁部３ａを横梁９ｂに対して巻き込んだ場合に対向する位置とに嵌め込み式ボタン４６を設けて、開口縁部３ａを横梁９ｂに対して巻き込んで、対となるボタン４６を嵌め込むようにする。また、図示しないが、上述した開閉テープ４５または嵌め込み式ボタン４６等を用いて、ポケット３の開口を閉じることで、ポケット３に被覆された背フレーム２の上方部分がポケット３から抜け出ることを防止するようにしても良い。
【００２３】
本実施形態の背凭れ部１の下端部分は、例えばランバーサポート機構に取り付けられている。このランバーサポート機構は、着座者の腰部に向かって突出するように背凭れ部１に形成された屈曲部１ａの突出量を調整可能とするものである。本実施形態のランバーサポート機構は、例えば、一対の下部フレーム１４，１４の間を掛け渡すように下部フレーム１４，１４に固定される固定プレート２２と、この固定プレート２２に取り付けられて背凭れ部１の上方及び下方に移動可能に構成された可動部材２３とを有して構成される。本実施形態の背凭れ部１の下端部分は、この可動部材２３に取り付けられている。可動部材２３には、例えば背凭れ部１の下端部分が挿入される溝３５が形成されている。
【００２４】
固定プレート２２は、下面側（接地面側）に開口した略箱型に形成されており、下部フレーム１４と一体に形成された取付部２４に、例えばねじ止めによって固定される。可動部材２３は、一対の下部フレーム１４，１４の間に形成される空間に収容される部分２３ａと、一対の下部フレーム１４，１４と係合する突出部分２３ｂとを有するように形成され、尚且つ固定プレート２２の下面側に設けられたガイド軸２５に案内されるスライダ２６が一体に取り付けられている。可動部材２３は、突出部分２３ｂが下部フレーム１４と係合する位置と、スライダ２６が固定プレート２２と係合する位置との間を移動可能に構成される。
【００２５】
また、固定プレート２２の下面側には、一対のブラケット２７，２７が形成されていて、このブラケット２７にはレバー２８が揺動可能に取り付けられている。このレバー２８の一端側は、可動部材２３に取り付けられており、レバー２８が揺動することで可動部材２３がガイド軸２５に案内されて移動するように構成されている。より具体的には、レバー２８は、支点として機能する支軸２９と、力点として機能するピン３０と、作用点として機能する長孔３２とを有して構成される。ピン３０は、可動部材２３に形成された溝３１に挿入される。支軸２９は、ブラケット２７に回転可能に取り付けられる。長孔３２には、クランクシャフト３３のクランク部３３ａが貫通している。レバー２８は、ピン３０および支軸２９が形成される部材２８ａと、長孔３２が形成される部材２８ｂとが、略Ｖ字形を成すように一体に連結された形状となっている。また、長孔３２が形成される部材２８ｂは、クランク部３３ａの回動に支障がないように、ブラケット２７，２７間における幅が部材２８ａよりも狭くなるように形成されている。クランクシャフト３３の回転軸３３ｂは、支軸２９と平行な軸回りに回転可能であるようにブラケット２７に取り付けられる。クランク部３３ａは、一対のブラケット２７，２７の間において、クランクシャフト３３の回転軸３３ｂの周囲を回転するように形成されている。
【００２６】
したがって、クランクシャフト３３を正回転または逆回転させると、クランク部３３ａが長孔３２内を移動しながら回転軸３３ｂの回りを回転し、これに伴ってレバー２８が支軸２９回りに揺動し、ピン３０を介して可動部材２３が背凭れ部１の屈曲部１ａに近づくように押し上げられ、または屈曲部１ａから遠ざかるように押し下げられる。背凭れ部１の下端部分を支持する可動部材２３が背凭れ部１の屈曲部１ａに近づくことで、屈曲部１ａにおける着座者の腰部への突出量が増加する（図５参照）。一方、可動部材２３が屈曲部１ａから遠ざかることで、屈曲部１ａの突出量が減少する（図４参照）。尚、図４および図５は、ブラケット２７の内側の様子を示す断面側面図である。また、図３中の符号３４は、クランクシャフト３３に一体回転するように取り付けられる操作部材である。但し、操作部材３４を用いずドライバ等の工具を利用してクランクシャフト３３を回転させるように構成しても良い。
【００２７】
ここで、本実施形態における椅子１１は、座や背凭れがロッキング可能であるように構成されている。但し、本発明が適用される椅子は、ロッキング可能であるものに限定されないのは勿論である。例えば本実施形態の椅子１１は、図６及び図７に示すように、脚１２と、脚１２の上端側に取り付けられる支持体７と、前部が軸Ｘ１を介して支持体７に支持される座受１３と、基端側が軸Ｘ３を介して支持体７に取り付けられると共に、中間部において軸Ｘ２を介して座受１３の後部に連結される下部フレーム１４とを有して構成される。下部フレーム１４は、ほぼ水平な部分とほぼ直立した部分とを有する略Ｌ字形状としている。下部フレーム１４の前端部４８には、軸Ｘ３が一体回転するよう固定される。下部フレーム１４のほぼ水平な部分における略中央部には、取付部２４と一体に軸支持部４７が設けられていて、この軸支持部４７に軸Ｘ２が取り付けられる。座受１３には図示しないシェル及びクッション等が取り付けられて座１５が構成される。座受１３と支持体７とは軸Ｘ１により回転可能に連結される。下部フレーム１４と座受１３とは軸Ｘ２により回転可能に連結される。支持体７と下部フレーム１４とは軸Ｘ３により回転可能に連結される。支持体７には、その側壁の前端部に、軸Ｘ１を前後方向に沿ってスライド可能に支持するスライド案内部たる長孔１６が形成されている。軸Ｘ１は、付勢ばね（例えば圧縮コイルばね）を有して構成される反力機構１７により、長孔１６の前端側に向かって付勢されている。また、本実施形態における椅子１１は、ロッキング硬さ（反力機構１７のばね力）を調整する反力調整機構１８を備えている。尚、符号１９は、軸Ｘ１のスライド範囲を変更調整するための部材である。この椅子１１によれば、下部フレーム１４が後傾することで、座受１３の後部が後方に引かれると同時に、軸Ｘ１が長孔１６内を後方に摺動および回転する。これにより、反力機構１７の付勢ばねが圧縮されて反力を得ることができる。下部フレーム１４を後傾する外力が解除されれば、反力機構１７の付勢ばねの付勢力により下部フレーム１４が原位置に復起する。
【００２８】
以上のように構成される本実施形態の椅子１１では、背凭れ部１は例えば次のように取り付けられる。即ち、背フレーム２の上方部分としての枠体９を、背凭れ部１の背面側の上半分に設けらたポケット３で包み込む。そして、ポケット３の開口縁部３ａに設けられた係止プレート４を引っ張りながらポケット３の内部に回し込んで、横梁９ｂの正面側に取り付ける。係止プレート４を引っ張りながら取り付けることで、背凭れ部１は適度なテンションを与えられながら背フレーム２に取り付けられる。したがって、表皮部材８やポケット３に弛みや皺が生じてしまうことを回避できる。更に、係止プレート４と横梁９ｂとが係合することで、当該適度なテンションを維持して尚且つ背フレーム２の上方部分がポケット３から抜け出ることが防止される。一方、背凭れ部１の下端側は可動部材２３の溝３５に挿入される。以上により、背凭れ部１が椅子１１に取り付けられる。
【００２９】
ここで、本実施形態では、背凭れ部１が背フレーム２に対してずれてしまうことを防止するために、枠体９をポケット３で包み込んだ後に、例えば横梁９ｂの両端近傍において、背フレーム２と背凭れ部１とを２本のねじ３６で止め付けるようにしている。またインナーシェル５は背凭れ部１の下端部分から突出した取付部３７を有するものとするとともに、可動部材２３の溝３５もこの取付部３７を受け入れる形状として、背凭れ部１の下端側を可動部材２３の溝３５に挿入した後に、可動部材２３の下面側から取付部３７に対して例えば２本のねじ３８で止め付けて、背凭れ部１と可動部材２３とを固定するようにしている。尚、ねじ３６，３８の変わりに樹脂ピン等を利用しても良い。但し、これらのねじ止めは背凭れ部１と背フレーム２とのずれを確実に防止するためのものであり、場合によっては上述のねじ止めを行なわなくても良い。例えば、背凭れ部１と背フレーム２との重ね合わされる部分（本実施形態においては、背凭れ部１のインナーシェル５と、このインナーシェル５に対向する背フレーム２の枠体９のコ字型部分９ａ）を互いに係合する形状として、背凭れ部１と背フレーム２とのずれを防止するようにしても良い。この場合、係合の態様は特に限られず、例えば図９（Ａ）に示すように完全に嵌り合う凸部３９と凹部４０とを形成したり、あるいは同図（Ｂ）に示すように単に引っ掛かる程度の山部４１と谷部４２とを形成しても良い。
【００３０】
このように背フレーム２の上方部分をポケット３で被覆すると共に係止部を当該被覆した上方部分に係合させて背凭れ部１を背フレーム２に取り付けるようにすれば、アウターシェルを用いず、且つねじ等を殆んど若しくは全く用いずに、背凭れ部を背フレームに容易に取り付けることができる。また、ねじ等を用いる場合であっても、背凭れ部１と背フレーム２とのずれを防止できる程度であれば良く、従来のねじ止めよりも少数で足りる。したがって、部品点数や作業工数を削減できる。また簡易な取付構造であるため、必要に応じて、背凭れ部１を背フレーム２から簡単に取り外すこともできる。さらに、ポケット３により背フレーム２の内部構造を覆い隠すことができるので、椅子１１としての見栄え・デザイン性を高めることができる。
【００３１】
また枠体９にインナーシェル５が重ね合わされることで、剛性を得るための骨材がインナーシェル５のみ又は枠体９のみである場合に比べて、背凭れとしての強度が高まる。
【００３２】
更に、係止部４をポケット３の開口縁部３ａに設けることで、ポケット３が捲れてしまうことや、ポケット３に弛みや皺が生じてしまうこと等が防止される。加えて、ポケット３の端末（例えば係止プレート４を縫製した箇所等）がポケット３の内部に隠れるため、外観も良好となる。また、例えば、係止部４の形状や取付位置または背フレーム２の上方部分との係合の仕方は、必ずしも上述の実施形態の例に限定されるものではない。要は、ポケット３に被覆された背フレーム２の上方部分（上述の実施形態の例では枠体９）が、ポケット３から抜け出ることを防止し得るものであれば良い。
【００３３】
なお、上述の実施形態は本発明の好適な実施の一例ではあるがこれに限定されるものではなく、本発明の要旨を逸脱しない範囲において種々変形実施可能である。
【符号の説明】
【００３４】
１  背凭れ部
１ａ  屈曲部
２  背フレーム
３  ポケット
３ａ  開口縁部
４  係止プレート（係止部）
５  インナーシェル
８  表皮部材（適度な弾力性と張力を発揮し得る素材）
９  枠体
２３  可動部材
【図１】
2010104830.tif 000003
【図２】
2010104830.tif 000004
【図３】
2010104830.tif 000005
【図４】
2010104830.tif 000006
【図５】
2010104830.tif 000007
【図６】
2010104830.tif 000008
【図７】
2010104830.tif 000009
【図８】
2010104830.tif 000010
【図９】
2010104830.tif 000011
【図１０】
2010104830.tif 000012
【図１１】
2010104830.tif 000013
【図１２】
2010104830.tif 000014
【図１３】
2010104830.tif 000015
【図１４】
2010104830.tif 000016
【図１５】
2010104830.tif 000017
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
脚と、脚の上端側に取り付けられる支持体と、該支持体に支持される座受けと、フレームの基端側が前記支持体に取り付けられる背もたれを有し、前記背もたれがロッキング可能であるように構成されている椅子において、前記背もたれは、横梁を有する樹脂製の枠体と、この枠体を支持する金属製の下部フレームとを備える背フレームと、適度な弾力性と張力を発揮し得る素材であるメッシュシートから成る表皮部材とで構成され、前記表皮部材には係止プレートが取り付けられる一方、前記表皮部材は前記係止プレートを引っ張りながら前記横梁の正面側に係合することで取り付けられることを特徴とする椅子。
【請求項２】
前記横梁の正面側に溝を設け、前記係止プレートを係合させるものである請求項１記載の椅子。
【請求項３】
前記係止プレートはフック状に形成され、前記横梁に係合されるものである請求項１記載の椅子。
【請求項４】
前記係止プレートは樹脂製である請求項１から３のいずれか１つに記載の椅子。
【請求項５】
前記横梁は椅子の後方に向かって湾曲しているものである請求項１から４のいずれか１つに記載の椅子。
【請求項６】
前記係止プレートは、前記表皮部材の縁部に縫製することによって取り付けられているものである請求項１から５のいずれか１つに記載の椅子。
【請求項７】
前記フック状の係止プレートは、前記表皮部材に縫製される片が前記横梁に引っかけられる片よりも長いものである請求項２記載の椅子。
【手続補正２】
【補正対象書類名】明細書
【補正対象項目名】０００６
【補正方法】変更
【補正の内容】
【０００６】
かかる目的を達成するため、請求項１記載の発明は、脚と、脚の上端側に取り付けられる支持体と、該支持体に支持される座受けと、フレームの基端側が前記支持体に取り付けられる背もたれを有し、前記背もたれがロッキング可能であるように構成されている椅子において、前記背もたれは、横梁を有する樹脂製の枠体と、この枠体を支持する金属製の下部フレームとを備える背フレームと、適度な弾力性と張力を発揮し得る素材であるメッシュシートから成る表皮部材とで構成され、前記表皮部材には係止プレートが取り付けられる一方、前記表皮部材は前記係止プレートを引っ張りながら前記横梁の正面側に係合することで取り付けられるものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
したがって、表皮部材に取り付けられた係止プレートが横梁の正面側に係合されるときには、表皮部材に張力（テンション）が与えられ、尚且つ表皮部材の張力により係止プレートと横梁との間の係合力を増す方向に係合させられるので、係止プレートが横梁から外れることが防がれる。しかも、表皮部材が引っ張られた状態のまま横梁に係止プレートが係合されるので、表皮部材は適度なテンションを与えられながらフレームに固定される。
【手続補正５】
【補正対象書類名】明細書
【補正対象項目名】０００９
【補正方法】変更
【補正の内容】
【０００９】
ここで、本発明の椅子は、横梁の正面側に溝を設け、係止プレートを係合させることが好ましい。また、本発明の椅子は、係止プレートをフック状に形成し、横梁に係合させることが好ましい。また、係止プレートは樹脂製であることが好ましい。さらには、係止プレートは、フック形状をなすものであり、フレームの横梁に対し引っかけられてテンションが掛けられて固定されるものであることが好ましい。さらに、横梁は椅子の後方に向かって湾曲しているものであることが好ましく、係止プレートは、表皮部材の縁部に縫製することによって取り付けられているものであることが好ましい。
【手続補正６】
【補正対象書類名】明細書
【補正対象項目名】００１０
【補正方法】変更
【補正の内容】
【００１０】
また、フック状の係止プレートは、表皮部材に縫製される片が横梁に引っかけられる片よりも長いものであることが好ましい。
【手続補正７】
【補正対象書類名】明細書
【補正対象項目名】００１１
【補正方法】変更
【補正の内容】
【００１１】
以上の説明から明らかなように、本発明によれば、係止プレートを引っ張りながら適度な弾力性と張力を発揮し得る表皮部材をフレームに取り付けることで、身体を支持する面を構成する表皮部材が適度なテンションを与えられながらフレームに固定されるので、表皮部材に弛みや皺が生じてしまうことを回避できる。更に、表皮部材は係止プレートを引っ張りながら横梁の正面側に係合することで取り付けられるので、表皮部材自体の張力により係止プレートと横梁との間の係合力を増すことができるので、表皮部材の適度なテンションを維持して尚且つ横梁からの係止プレートの抜け外れを防ぐことができる。